(57)【要約】      （修正有）【課題】モノクロ印刷およびカラー印刷の両方を実行可能な画像形成装置において、画像形成処理における作業効率の向上を図ることのできる技術を提供する。【解決手段】モノクロ印刷の印刷設定に関する設定情報を取得する第１の設定情報取得部と、カラー印刷の印刷設定に関する設定情報を取得する第２の設定情報取得部と、第１の設定情報取得部にて取得される設定情報に基づくモノクロ印刷と第２の設定情報取得部にて取得される設定情報に基づくカラー印刷とを順次実行させる印刷実行部とを備えてなる。【選択図】図１
2008216986.tif 000002
【特許請求の範囲】
【請求項１】
モノクロ印刷の印刷設定に関する設定情報を取得する第１の設定情報取得部と、
カラー印刷の印刷設定に関する設定情報を取得する第２の設定情報取得部と、
前記第１の設定情報取得部にて取得される設定情報に基づくモノクロ印刷と前記第２の設定情報取得部にて取得される設定情報に基づくカラー印刷とを順次実行させる印刷実行部と
を備えてなる画像形成装置。
【請求項２】
請求項１に記載の画像形成装置において、
前記第１の設定情報取得部にて取得される設定情報に基づくモノクロ印刷のために行なう準備処理に要する時間および前記第２の設定情報取得部にて取得される設定情報に基づくカラー印刷のために行なう準備処理に要する時間を推定する処理時間推定部を備え、
前記印刷実行部は、前記モノクロ印刷およびカラー印刷のうち、前記処理時間推定部にて推定される時間が短い方から順次実行させる画像形成装置。
【請求項３】
請求項１に記載の画像形成装置において、
前記印刷実行部は、前記第１の設定情報取得部にて取得される設定情報に基づくモノクロ印刷を、前記第２の設定情報取得部にて取得される設定情報に基づくカラー印刷よりも先に実行させる画像形成装置。
【請求項４】
請求項１に記載の画像形成装置において、
前記印刷実行部は、前記第２の設定情報取得部にて取得される設定解像度が前記第１の設定情報取得部にて取得される設定解像度よりも高いとき、モノクロ印刷をカラー印刷よりも先に実行させる画像形成装置。
【請求項５】
請求項１に記載の画像形成装置において、
前記印刷実行部は、前記第２の設定情報取得部にて取得される設定階調数が前記第１の設定情報取得部にて取得される設定階調数よりも大きいとき、モノクロ印刷をカラー印刷よりも先に実行させる画像形成装置。
【請求項６】
モノクロ印刷の印刷設定に関する設定情報を取得する第１の設定情報取得ステップと、
カラー印刷の印刷設定に関する設定情報を取得する第２の設定情報取得ステップと、
前記第１の設定情報取得ステップにて取得される設定情報に基づくモノクロ印刷と前記第２の設定情報取得ステップにて取得される設定情報に基づくカラー印刷とを順次実行させる印刷実行ステップと
を備えてなる画像形成方法。
【請求項７】
請求項６に記載の画像形成方法において、
前記第１の設定情報取得ステップにて取得される設定情報に基づくモノクロ印刷のために行なう準備処理に要する時間および前記第２の設定情報取得ステップにて取得される設定情報に基づくカラー印刷のために行なう準備処理に要する時間を推定する処理時間推定ステップを備え、
前記印刷実行ステップは、前記モノクロ印刷およびカラー印刷のうち、前記処理時間推定ステップにて推定される時間が短い方から順次実行させる画像形成方法。
【請求項８】
請求項６に記載の画像形成方法において、
前記印刷実行ステップは、前記第１の設定情報取得ステップにて取得される設定情報に基づくモノクロ印刷を、前記第２の設定情報取得ステップにて取得される設定情報に基づくカラー印刷よりも先に実行させる画像形成方法。
【請求項９】
請求項６に記載の画像形成方法において、
前記印刷実行ステップは、前記第２の設定情報取得ステップにて取得される設定解像度が前記第１の設定情報取得ステップにて取得される設定解像度よりも高いとき、モノクロ印刷をカラー印刷よりも先に実行させる画像形成方法。
【請求項１０】
請求項６に記載の画像形成方法において、
前記印刷実行ステップは、前記第２の設定情報取得ステップにて取得される設定階調数が前記第１の設定情報取得ステップにて取得される設定階調数よりも大きいとき、モノクロ印刷をカラー印刷よりも先に実行させる画像形成方法。
【発明の詳細な説明】
【技術分野】
【０００１】
本発明は、モノクロ印刷およびカラー印刷の両方を実行可能な画像形成装置に関し、特に、画像形成処理の効率化に関するものである。
【背景技術】
【０００２】
従来、モノクロ画像をシートに印字するモノクロ印刷とカラー画像をシートに印字するカラー印刷の両方を実行可能な画像形成装置が知られる。
【０００３】
図４は従来の画像形成装置９の概略構成について説明するための図であり、図５は従来の画像形成装置９におけるコントロールパネル９０８での表示画面の一例を示す図である。
【０００４】
通常、画像形成装置では、モノクロ印刷とカラー印刷とを同時に行なうことはできないため、従来の画像形成装置において同じ原稿に基づいてモノクロ印刷とカラー印刷の両方を行ないたいような場合には、まずモノクロ印刷のための印刷設定を行なってモノクロ印刷を実行させ、当該モノクロ印刷の完了後にカラー印刷のための印刷設定を行なってカラー印刷を実行させていた。図５に示す画面表示例からもわかるように、従来の画像形成装置におけるコントロールパネルでは、モノクロ印刷もしくはカラー印刷のいずれか一方しか設定できない表示形式となっている。
【発明の開示】
【発明が解決しようとする課題】
【０００５】
このように、従来の画像形成装置では、同じ原稿に基づく印刷処理であるにも拘らず、印刷色が異なる場合に重複した操作を行なわなければならず、作業効率の観点で好ましくなかった。
【０００６】
また、モノクロ印刷とカラー印刷の両方を行なう場合、いずれか一方についての印刷設定を行い、その印刷設定に基づく印刷処理が完了した後でなければ、他方の印刷設定を行なうことができないため、ユーザが長時間装置を離れることができず、不便であった。
【０００７】
また、モノクロ印刷とカラー印刷とで似通った印刷設定を行ないたいような場合でも、それぞれ別々に設定作業を行なわなければならないため、設定ミスが生じてしまうおそれがあった。
【０００８】
本発明は上述した問題点を解決するためになされたものであり、モノクロ印刷およびカラー印刷の両方を実行可能な画像形成装置において、画像形成処理における作業効率の向上を図ることのできる技術を提供することを目的とする。
【課題を解決するための手段】
【０００９】
上述した課題を解決するため、本発明の一態様に係る画像形成装置は、モノクロ印刷の印刷設定に関する設定情報を取得する第１の設定情報取得部と、カラー印刷の印刷設定に関する設定情報を取得する第２の設定情報取得部と、前記第１の設定情報取得部にて取得される設定情報に基づくモノクロ印刷と前記第２の設定情報取得部にて取得される設定情報に基づくカラー印刷とを順次実行させる印刷実行部とを備えてなることを特徴とする構成としている。
【００１０】
また、本発明の一態様に係る画像形成方法は、モノクロ印刷の印刷設定に関する設定情報を取得する第１の設定情報取得ステップと、カラー印刷の印刷設定に関する設定情報を取得する第２の設定情報取得ステップと、前記第１の設定情報取得ステップにて取得される設定情報に基づくモノクロ印刷と前記第２の設定情報取得ステップにて取得される設定情報に基づくカラー印刷とを順次実行させる印刷実行ステップとを備えてなることを特徴とする構成としている。
【発明の効果】
【００１１】
以上に詳述したように本発明によれば、モノクロ印刷およびカラー印刷の両方を実行可能な画像形成装置において、画像形成処理における作業効率の向上を図ることのできる技術を提供することができる。
【発明を実施するための最良の形態】
【００１２】
以下、本発明の実施の形態について図面を参照しつつ説明する。
【００１３】
図１は、本実施の形態による画像形成装置について説明するための機能ブロック図である。本実施の形態による画像形成装置１は、例えばＭＦＰ（Multi Function Peripheral）であり、第１の設定情報取得部１０１、第２の設定情報取得部１０２、処理時間推定部１０３、印刷実行部１０４、画像読取部１０５、、画像形成部１０６、表示部１０７、第１画像処理部１０８、第２画像処理部１０９、ＣＰＵ８０１およびＭＥＭＯＲＹ８０２を備えてなる構成となっている。
【００１４】
第１の設定情報取得部１０１は、モノクロ印刷の印刷設定に関する設定情報を取得する。
【００１５】
第２の設定情報取得部１０２は、カラー印刷の印刷設定に関する設定情報を取得する。
【００１６】
ここで、印刷設定に関する設定情報とは、例えば、「印刷部数」、「拡大倍率」、「縮小倍率」、「余白設定」、「濃度設定」、「階調数設定」、「解像度設定」、「両面片面設定」、「ソート設定」、「ステイプル位置設定」および「パンチ孔位置設定」などが挙げられる。
【００１７】
処理時間推定部１０３は、第１の設定情報取得部１０１にて取得される設定情報に基づくモノクロ印刷のために行なう準備処理に要する時間および第２の設定情報取得部１０２にて取得される設定情報に基づくカラー印刷のために行なう準備処理に要する時間を推定する。
【００１８】
具体的に、印刷のために行なう準備処理としては、例えば、印刷のためのデータを生成するための画像処理などが挙げられる。なお、処理時間推定部１０３における処理時間の推定処理は、例えば、取得された印刷設定と予め用意されている演算式やデータテーブルに基づいて算出する。もちろん、処理時間をより正確に推定するために、現在の処理状況や処理負荷の状態等を第１画像処理部１０８および第２画像処理部１０９（詳細は後述）に対して問い合わせるようにしてもよい。
【００１９】
印刷実行部１０４は、第１の設定情報取得部１０１にて取得される設定情報に基づくモノクロ印刷と第２の設定情報取得部１０２にて取得される設定情報に基づくカラー印刷とを順次実行させる。
【００２０】
このように、モノクロ印刷とカラー印刷の印刷設定をまとめて取得し、これらの印刷設定に基づく印刷処理を順次連続して一度に行なわせる構成としたことにより、ユーザはモノクロ印刷とカラー印刷の印刷設定をまとめて一度に行なうだけでモノクロ印刷とカラー印刷の両方を実行することができるようになる。
【００２１】
これにより、従来の画像形成装置のように、同じ画像に基づいて、モノクロ印刷とカラー印刷の両方を行ないたいような場合に、モノクロ印刷が完了してから再度カラー印刷用の印刷設定をし直す必要が無くなり、作業効率の向上に寄与することができる。
【００２２】
なお、印刷実行部１０４は、モノクロ印刷およびカラー印刷のうち、処理時間推定部１０３にて推定される時間が短い方から順次実行させることが望ましい。
【００２３】
通常、モノクロ印刷とカラー印刷の両方を実行可能な画像形成装置では、モノクロ印刷とカラー印刷を同時に行なうことはできず、順番に行なう必要がある。よって、モノクロ印刷およびカラー印刷のうち、印刷の実行のために行なう画像処理等の準備処理が早く完了する方を先に実行させるようにすることで、画像形成装置に無駄な待ち時間が発生することが無くなり、画像形成装置の稼働率の向上に寄与することができる。
【００２４】
また、印刷実行部１０４は、第１の設定情報取得部１０１にて取得される設定情報に基づくモノクロ印刷を、第２の設定情報取得部１０２にて取得される設定情報に基づくカラー印刷よりも先に実行させるようにすることもできる。
【００２５】
一般に、カラー印刷に比べ、モノクロ印刷の方が扱うデータ量が少ない関係上、画像処理に要する時間が短いため、カラー印刷のための画像処理よりも先に画像処理が完了するモノクロ印刷を先に実行させることが効率的である。
【００２６】
また、印刷実行部１０４は、第２の設定情報取得部１０２にて取得される設定解像度が第１の設定情報取得部１０１にて取得される設定解像度よりも高いとき、モノクロ印刷をカラー印刷よりも先に実行させることもできる。
【００２７】
具体的には、例えばモノクロ印刷の設定解像度が「２００ｄｐｉ」であり、カラー印刷の設定解像度が「３００ｄｐｉ」である場合などが挙げられる。このような場合には、カラー印刷の実行のために行なう画像処理の負荷が、モノクロ印刷の実行のために行なう画像処理の負荷に比べて大幅に大きく、処理にも時間がかかる。よって、カラー印刷のための画像処理を行なっている間にモノクロ印刷を実行すれば、装置を無駄に待たせることもなく画像形成装置の稼働率の向上にも寄与することができる。
【００２８】
この他、印刷実行部１０４は、第２の設定情報取得部１０２にて取得される設定階調数が第１の設定情報取得部１０１にて取得される設定階調数よりも大きいとき、モノクロ印刷をカラー印刷よりも先に実行させるようにしてもよい。
【００２９】
具体的には、例えばモノクロ印刷の設定階調数が「モノクロ２値」であり、カラー印刷の設定階調数が「２５６階調」である場合などが挙げられる。このような場合には、カラー印刷の実行のために行なう画像処理の負荷が、モノクロ印刷の実行のために行なう画像処理の負荷に比べて大幅に大きく、処理にも時間がかかる。よって、上記と同様の理由から、カラー印刷のための画像処理を行なっている間にモノクロ印刷を実行することが効率的である。
【００３０】
画像読取部１０５は、原稿台に載置された原稿やＡＤＦ（Auto Document Feeder）により自動搬送される原稿の読み取り面を光学的に読み取る役割を有している。ここでは、画像読取部１０５は、ＲＧＢカラーでの画像読み取りが可能な３つのラインセンサ（例えば、３００ｄｐｉ）と、モノクロでの画像読み取りが可能な１つのラインセンサ（例えば、６００ｄｐｉ）とを備えている４ラインセンサであるものとする。
【００３１】
画像形成部１０６は、モノクロ印刷およびカラー印刷が可能であり、印刷実行部１０４からの指示に基づいて、モノクロ印刷またはカラー印刷を行なう。
【００３２】
表示部１０７は、例えばタッチパネルディスプレイ（コントロールパネル）等から構成され、画像形成装置１における処理内容等を画面表示する役割を有している。
【００３３】
第１画像処理部１０８は、モノクロ印刷の実行のための画像処理等を行なう機能を有しており、第２画像処理部１０９は、カラー印刷の実行のための画像処理等を行なう機能を有している。
【００３４】
ＣＰＵ８０１は、画像形成装置における各種処理を行なう役割を有しており、またＭＥＭＯＲＹ８０２に格納されているプログラムを実行することにより種々の機能を実現する役割も有している。ＭＥＭＯＲＹ８０２は、例えばＲＯＭやＲＡＭ等から構成されており、画像形成装置において利用される種々の情報やプログラムを格納する役割を有している。
【００３５】
なお、本実施の形態におけるモノクロ印刷とは、画像読取部１０５にて原稿から読み取った画像に基づくモノクロ画像の印刷や、画像形成装置１と通信可能に接続されている外部機器から送信された画像データに基づくモノクロ画像の印刷を意味している。同様に、本実施の形態におけるカラー印刷とは、画像読取部１０５にて原稿から読み取った画像に基づくカラー画像の印刷や、画像形成装置１と通信可能に接続されている外部機器から送信された画像データに基づくカラー画像の印刷を意味している。
【００３６】
以下、本実施の形態による画像形成装置１における動作の詳細について説明する。ここでは、主に、画像読取部１０５にて原稿から読み取った画像データに基づく印刷処理（コピー処理）について説明する。
【００３７】
図２は、本実施の形態による画像形成装置１における表示部１０７（コントロールパネル）での画面表示例を示す図である。
【００３８】
同図に示すように、表示部１０７には、「ディスプレイ」、「テンキー」、「クリアキー」、コピーを中止させるための「ストップキー」、印刷処理を開始させるための「スタートキー」等が画面表示されている。ここでは、画像形成装置１は、画像読取部１０５にて原稿のカラー種別（モノクロ原稿か、カラー原稿か）を自動で判別して、原稿がモノクロ原稿の場合にはモノクロ印刷を行い、原稿がカラー原稿の場合にはカラー印刷を行なう、オートコピー機能を備えているものとする。
【００３９】
ユーザは、まず、コピーしたい原稿を原稿台あるいはＡＤＦにセットし、表示部１０７における操作画面上で所望の印刷設定を行なう。
【００４０】
例えば、ユーザが、モノクロ印刷を１部とカラー印刷を１部行ないたい場合、図２に示す画面のディスプレイ上の「モノクロコピー部数」と「カラーコピー部数」をそれぞれ設定する。このようにして、モノクロコピーの部数とカラーコピーの部数が設定されると、「オートコピー部数」の欄はグレー表示（いわゆる、グレーアウト）され選択できなくなる。
【００４１】
一方、「オートコピー部数」が設定されると、「モノクロコピー部数」と「カラーコピー部数」の欄はグレー表示となり選択できなくなる。
【００４２】
続いて、ユーザが「スタートキー」を押下すると、原稿のコピー処理が開始される。まず、１ページ目のカラー原稿を画像読取部１０５でスキャンし、モノクロ画像とカラー画像を同時に読み取る。次に、読み取られたモノクロ画像は第１画像処理部１０８に、読み取られたカラー画像は第２画像処理部１０９に送信され、各々画像処理が行われる。
【００４３】
各画像処理部は、上記画像処理が完了すると、当該画像処理により生成されたデータを例えばＭＥＭＯＲＹ８０２等の記憶領域に格納する。これは、画像形成部１０６では、モノクロ印刷およびカラー印刷の内いずれか一方しか一度には実行できないためであり、また、スキャン走査速度と印刷速度の違いを吸収するためのバッファ効果を持たせるためである。
【００４４】
印刷実行部１０４は、このような一連の処理を原稿の最後のページまで繰り返すとともに、モノクロ印刷のための画像処理が完了次第（モノクロ印刷の少なくとも１ページ目が印字可能となり次第）、モノクロ画像データの１枚目からＭＥＭＯＲＹ８０２から読出して画像形成部１０６にて印刷する。
【００４５】
そして、印刷実行部１０４は、モノクロ画像データの印刷部数が、上述のようにして設定されたモノクロコピー部数に達したら、モノクロ印刷を終了させる。続いて、印刷実行部１０４は、ＭＥＭＯＲＹ８０２からカラー画像データを１枚目から読出し、画像形成部１０６にて印刷してゆく。
【００４６】
このようにして、カラー画像データの印刷部数が、上述のようにして設定されたカラーコピー部数に達したら、カラー印刷処理を終了させる。以上で、モノクロコピーおよびカラーコピーが完了する。
【００４７】
このように、本実施の形態による画像形成装置１では、モノクロ印刷モードのモノクロ画像とカラー印刷モードのカラー画像の両方を同時に読み取り可能なＣＣＤセンサと、モノクロ印刷およびカラー印刷のための画像処理を同時に行なうことのできる画像処理部を用いている。これにより、１度のスキャン走査で、カラー原稿のカラー印刷モードでのスキャン走査によるカラー画像データの読み取りと、モノクロ印刷モードでのスキャン走査によるモノクロ画像データの読み取りの２種類の処理を同時に実行することができる。
【００４８】
図４に示したような、従来のＲＧＢカラーを読み取る３ラインＣＣＤセンサ９０３を用いたスキャナ（画像読取部）９０２を備えた構成の場合、原稿をモノクロおよびカラーの２通りで読み取るためには、原稿を２回スキャン走査させなければならなかったが、本実施の形態による画像形成装置１における画像読取部１０５のような構成とすることにより、１度のスキャン走査を行なうだけで、原稿のモノクロおよびカラーでの画像読み取りを行なうことができる。
【００４９】
また、１度のスキャン走査だけでモノクロ印刷用およびカラー印刷用の画像読み取りを行なう構成とすることにより、走査光学系の駆動機構の長寿命化にも寄与することができる。
【００５０】
図３は、本実施の形態による画像形成装置１における処理（画像形成方法）の大まかな流れについて説明するためのフローチャートである。
【００５１】
第１の設定情報取得部１０１は、モノクロ印刷の印刷設定に関する設定情報を取得する（第１の設定情報取得ステップ）（Ｓ９０１）。
【００５２】
第２の設定情報取得部１０２は、カラー印刷の印刷設定に関する設定情報を取得する（第２の設定情報取得ステップ）（Ｓ９０２）。
【００５３】
処理時間推定部１０３は、第１の設定情報取得ステップにて取得される設定情報に基づくモノクロ印刷のために行なう準備処理に要する時間および第２の設定情報取得ステップにて取得される設定情報に基づくカラー印刷のために行なう準備処理に要する時間を推定する（処理時間推定ステップ）（Ｓ９０３）。
【００５４】
印刷実行部１０４は、第１の設定情報取得ステップにて取得される設定情報に基づくモノクロ印刷と第２の設定情報取得ステップにて取得される設定情報に基づくカラー印刷とを順次実行させる（印刷実行ステップ）（Ｓ９０４）。
【００５５】
なお、印刷実行ステップは、モノクロ印刷およびカラー印刷のうち、処理時間推定ステップにて推定される時間が短い方から順次実行させることが好ましい。
【００５６】
この他、印刷実行ステップは、第１の設定情報取得ステップにて取得される設定情報に基づくモノクロ印刷を、第２の設定情報取得ステップにて取得される設定情報に基づくカラー印刷よりも先に実行させることもできる。また、印刷実行ステップは、第２の設定情報取得ステップにて取得される設定解像度が第１の設定情報取得ステップにて取得される設定解像度よりも高いとき、モノクロ印刷をカラー印刷よりも先に実行させるようにしてもよい。
【００５７】
また、印刷実行ステップは、第２の設定情報取得ステップにて取得される設定階調数が第１の設定情報取得ステップにて取得される設定階調数よりも大きいとき、モノクロ印刷をカラー印刷よりも先に実行させることもできる。
【００５８】
上述の画像形成装置での処理における各ステップは、ＭＥＭＯＲＹ８０２に格納されている画像形成プログラムをＣＰＵ８０１に実行させることにより実現されるものである。
【００５９】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００６０】
なお、上述の実施の形態では、主に、本発明の構成が画像形成装置に対して適用されている例を示したが、必ずしもこれに限られるものではなく、例えば、画像形成装置１と通信可能に接続されているＰＣ等の外部機器に、上述の第１の設定情報取得部１０１、第２の設定情報取得部１０２、処理時間推定部１０３および印刷実行部１０４を備える構成とすることもできる。
【００６１】
この場合、第１の設定情報取得部１０１および第２の設定情報取得部１０２は、印刷設定が画像形成装置１へのユーザのコントロールパネル等への直接的な操作入力による場合には、画像形成装置１から印刷設定に関する情報を取得し、印刷動作がＰＣにおけるプリンタドライバ等からの指示による場合には、当該指示内容から印刷設定に関する情報を取得する。
【００６２】
以上のように、本実施の形態によれば、モノクロ印刷とカラー印刷を行ないたいような場合に、モノクロ印刷用の印刷設定作業とカラー印刷用の印刷設定作業とを別々に行なう必要が無く、印刷設定をまとめて行なうことで作業負担の軽減に寄与することができる。なお、モノクロ印刷における印刷設定とカラー印刷における印刷設定とに同じ設定内容が多いような場合（あるいは、印刷設定が全て同じであるような場合）には、一方の印刷設定の設定内容を他方における印刷設定に流用できるようにしてもよい。
【００６３】
このように、モノクロ印刷用の印刷設定作業とカラー印刷用の印刷設定作業とをまとめて一度に行なえるようにすることで、印刷設定作業時の設定ミスの発生を抑制することも可能となる。
【００６４】
本発明を特定の態様により詳細に説明したが、本発明の精神および範囲を逸脱しないかぎり、様々な変更および改質がなされ得ることは、当業者には自明であろう。
【図面の簡単な説明】
【００６５】
【図１】本発明の実施の形態による画像形成装置について説明するための機能ブロック図である。
【図２】本実施の形態による画像形成装置１における表示部１０７（コントロールパネル）での画面表示例を示す図である。
【図３】本実施の形態による画像形成装置１における処理（画像形成方法）の大まかな流れについて説明するためのフローチャートである。
【図４】従来の画像形成装置の概略構成について説明するための図である。
【図５】従来の画像形成装置のコントロールパネルにおける画面表示の一例を示す図である。
【符号の説明】
【００６６】
１  画像形成装置、１０１  第１の設定情報取得部、１０２  第２の設定情報取得部、１０３  処理時間推定部、１０４  印刷実行部、１０５  画像読取部、１０６  画像形成部、１０７  表示部、１０８  第１画像処理部、１０９  第２画像処理部、８０１  ＣＰＵ、８０２  ＭＥＭＯＲＹ。
【図１】
2008216986.tif 000003
【図２】
2008216986.tif 000004
【図３】
2008216986.tif 000005
【図４】
2008216986.tif 000006
【図５】
2008216986.tif 000007